(57)【要約】【課題】早送りや早戻し時における映像変化の見逃しを抑制することができる技術を提供する。【解決手段】本発明の電子機器は、早送りおよび早戻しでない第１の再生と、前記早送りまたは前記早戻しである第２の再生とを含む複数の再生のいずれかを指示するユーザ操作を受け付ける受付手段と、ＶＲ動画の再生として、行われたユーザ操作に応じた再生を行う再生手段と、を有し、前記第１の再生は、前記ＶＲ動画の各フレームの第１の範囲が表示範囲として表示手段に表示されるような再生であり、前記第２の再生は、前記ＶＲ動画の各フレームの第２の範囲が前記表示範囲として前記表示手段に表示されるような再生であり、前記第２の範囲は、前記第１の範囲よりも広い。【選択図】図３
2019012924.tif 000002
【特許請求の範囲】
【請求項１】
早送りおよび早戻しでない第１の再生と、前記早送りまたは前記早戻しである第２の再生とを含む複数の再生のいずれかを指示するユーザ操作を受け付ける受付手段と、
ＶＲ動画の再生として、行われたユーザ操作に応じた再生を行う再生手段と、
を有し、
前記第１の再生は、前記ＶＲ動画の各フレームの第１の範囲が表示範囲として表示手段に表示されるような再生であり、
前記第２の再生は、前記ＶＲ動画の各フレームの第２の範囲が前記表示範囲として前記表示手段に表示されるような再生であり、
前記第２の範囲は、前記第１の範囲よりも広い
ことを特徴とする電子機器。
【請求項２】
前記再生手段は、前記第１の再生が行われている状態で前記第２の再生を指示するユーザ操作が行われた場合に、前記第２の再生を開始する
ことを特徴とする請求項１に記載の電子機器。
【請求項３】
前記第２の範囲は、前記ＶＲ動画の各フレームの映像範囲の全体である
ことを特徴とする請求項１または２に記載の電子機器。
【請求項４】
前記第２の範囲は、前記ＶＲ動画の各フレームの映像範囲の５０％以上かつ１５０％以下の範囲である
ことを特徴とする請求項１または２に記載の電子機器。
【請求項５】
前記第２の範囲は、前記ＶＲ動画の各フレームの映像範囲から上端部と下端部を除いた範囲である
ことを特徴とする請求項１または２に記載の電子機器。
【請求項６】
前記第１の範囲または前記第２の範囲を選択する選択手段、をさらに有し、
前記第２の再生は、前記選択手段によって選択された範囲が前記表示範囲として前記表示手段に表示されるような再生である
ことを特徴とする請求項１〜５のいずれか１項に記載の電子機器。
【請求項７】
前記第２の再生における再生速度は変更可能であり、
閾値速度未満の再生速度での前記第２の再生は、前記第１の範囲が前記表示範囲として前記表示手段に表示されるような再生であり、
前記閾値速度以上の再生速度での前記第２の再生は、前記第２の範囲が前記表示範囲として前記表示手段に表示されるような再生である
ことを特徴とする請求項１〜５のいずれか１項に記載の電子機器。
【請求項８】
前記第２の再生は、前記表示範囲が前記第１の範囲から前記第２の範囲へ段階的に変化するような再生である
ことを特徴とする請求項１〜５のいずれか１項に記載の電子機器。
【請求項９】
前記第２の再生を指示するユーザ操作として、第１のユーザ操作と第２のユーザ操作とを含む複数のユーザ操作があり、
前記第１のユーザ操作に応じた前記第２の再生は、前記第１の範囲が前記表示範囲として前記表示手段に表示されるような再生であり、
前記第２のユーザ操作に応じた前記第２の再生は、前記第２の範囲が前記表示範囲として前記表示手段に表示されるような再生である
ことを特徴とする請求項１〜５のいずれか１項に記載の電子機器。
【請求項１０】
前記第２の再生は、第３のユーザ操作に応じて前記表示範囲が前記第２の範囲から前記第１の範囲へ変化し、且つ、第４のユーザ操作に応じて前記表示範囲が前記第１の範囲から前記第２の範囲へ変化するような再生である
ことを特徴とする請求項１〜９のいずれか１項に記載の電子機器。
【請求項１１】
前記第１の範囲の位置は、前記表示手段の姿勢、または、ユーザ操作に応じて変更される
ことを特徴とする請求項１〜１０のいずれか１項に記載の電子機器。
【請求項１２】
早送りおよび早戻しでない第１の再生と、前記早送りまたは前記早戻しである第２の再生とを含む複数の再生のいずれかを指示するユーザ操作を受け付ける受付ステップと、
ＶＲ動画の再生として、行われたユーザ操作に応じた再生を行う再生ステップと、
を有し、
前記第１の再生は、前記ＶＲ動画の各フレームの第１の範囲が表示範囲として表示手段に表示されるような再生であり、
前記第２の再生は、前記ＶＲ動画の各フレームの第２の範囲が前記表示範囲として前記表示手段に表示されるような再生であり、
前記第２の範囲は、前記第１の範囲よりも広い
ことを特徴とする電子機器の制御方法。
【請求項１３】
コンピュータを、請求項１乃至１１のいずれか１項に記載の電子機器の各手段として機能させるためのプログラム。
【請求項１４】
コンピュータを、請求項１乃至１１のいずれか１項に記載の電子機器の各手段として機能させるためのプログラムを格納したコンピュータが読み取り可能な記憶媒体。
【発明の詳細な説明】
【技術分野】
【０００１】
本発明は、電子機器、電子機器の制御方法、ブログラム、及び、記憶媒体に関し、特に、広範囲の映像範囲を有する動画を表示する制御方法に関するものである。
【背景技術】
【０００２】
通常のカメラで撮影可能な画角よりも広い広範な画角を持つ動画、人間の視野角より広い範囲の映像を持つ動画、等の広範囲動画がある。高画質な広範囲動画を撮影可能な環境が整う頃に、広範囲動画が動画コンテンツとして多くのメディアに浸透してくると考えられる。
【０００３】
動画の視聴時には、所望の映像シーンを探したり再視聴したりするために、再生機器にて早送りや早戻しといった特殊再生が行われる（特許文献１）。
【０００４】
従来の再生に関するフローチャートを図２３に示す。Ｓ２３００では、動画の通常再生が行われる。撮影された動画の通常再生は、撮影の時間と等しい時間での再生である。Ｓ２３０１では、ユーザ操作の有無が判定される。ユーザ操作があったと判定されるまでＳ２３０１の処理が繰り返され、ユーザ操作があったと判定されると、Ｓ２３０２に処理が進む。
【０００５】
Ｓ２３０２では、Ｓ２３０１のユーザ操作が早送り操作（早送りを指示するユーザ操作）であるか否かが判定される。Ｓ２３０１のユーザ操作が早送り操作であると判定された場合は、Ｓ２３０３に処理が進み、そうでない場合は、Ｓ２３０５に処理が進む。Ｓ２３０３では、動画の早送り（早送り再生）が行われる。Ｓ２３０４では、早送りの解除が指示されたか否かが判定される。早送りの解除は、早送り操作の解除、早送り操作とは異なるユーザ操作、等によって指示される。早送りの解除が指示されたと判定されるまでＳ２３０３とＳ２３０４の処理が繰り返され、早送りの解除が指示されたと判定されると、早送りが解除され、本フローチャートが終了する。早送りが解除されると、例えば、再生が通常再生に戻る。
【０００６】
Ｓ２３０５では、Ｓ２３０１のユーザ操作が早戻し操作（早戻しを指示するユーザ操作）であるか否かが判定される。Ｓ２３０１のユーザ操作が早戻し操作であると判定された場合は、Ｓ２３０６に処理が進み、そうでない場合は、Ｓ２３０１に処理が戻る。Ｓ２３０６では、動画の早戻し（早戻し再生）が行われる。Ｓ２３０７では、早戻しの解除が指示されたか否かが判定される。早戻しの解除は、早戻し操作の解除、早戻し操作とは異なるユーザ操作、等によって指示される。早戻しの解除が指示されたと判定されるまでＳ２３０６とＳ２３０７の処理が繰り返され、早戻しの解除が指示されたと判定されると、早戻しが解除され、本フローチャートが終了する。早戻しが解除されると、例えば、再生が通常再生に戻る。
【先行技術文献】
【特許文献】
【０００７】
【特許文献１】特開平６−１３３２６２号公報
【発明の概要】
【発明が解決しようとする課題】
【０００８】
多くの場合、広範囲動画は、ＨＭＤ（ヘッド・マウント・ディスプレイ）を用いて仮想現実空間を体感しながら視聴される。広範囲動画の早送りや早戻しもＨＭＤを用いて広範
囲動画を視聴しながら行われる。
【０００９】
しかしながら、ＨＭＤを用いて広範囲動画を視聴する場合には、一度に目視できる範囲（画角）は制限される。そのため、視聴者は、早送りや早戻し時において、非表示範囲（ディスプレイに表示されていない範囲；例えば、仮想現実空間において視聴者の後方に位置する範囲）の映像変化を見逃しやすい。一度に目視できる範囲が制限される他の視聴方法でも、同様の課題が生じる。
【００１０】
そこで本発明は、早送りや早戻し時における映像変化の見逃しを抑制することができる技術を提供することを目的とする。
【課題を解決するための手段】
【００１１】
本発明の電子機器は、早送りおよび早戻しでない第１の再生と、前記早送りまたは前記早戻しである第２の再生とを含む複数の再生のいずれかを指示するユーザ操作を受け付ける受付手段と、ＶＲ動画の再生として、行われたユーザ操作に応じた再生を行う再生手段と、を有し、前記第１の再生は、前記ＶＲ動画の各フレームの第１の範囲が表示範囲として表示手段に表示されるような再生であり、前記第２の再生は、前記ＶＲ動画の各フレームの第２の範囲が前記表示範囲として前記表示手段に表示されるような再生であり、前記第２の範囲は、前記第１の範囲よりも広いことを特徴とする。
【発明の効果】
【００１２】
本発明によれば、早送りや早戻し時における映像変化の見逃しを抑制することができる。
【図面の簡単な説明】
【００１３】
【図１】本発明の全ての実施形態に係るブロック図である。
【図２】本発明の全ての実施形態に係る概略図である。
【図３】本発明の全ての実施形態に係る表示例である。
【図４】本発明の第１の実施形態に係るフローチャートである。
【図５】本発明の第２の実施形態に係るフローチャートである。
【図６】本発明の第２の実施形態に係る表示例である。
【図７】本発明の第３の実施形態に係るフローチャートである。
【図８】本発明の第３の実施形態に係る表示例である。
【図９】本発明の第４の実施形態に係るフローチャートである。
【図１０】本発明の第４の実施形態に係る表示例である。
【図１１】本発明の第５の実施形態に係るフローチャートである。
【図１２】本発明の第５の実施形態に係る表示例である。
【図１３】本発明の第６の実施形態に係るフローチャートである。
【図１４】本発明の第６の実施形態に係る表示例である。
【図１５】本発明の第７の実施形態に係るフローチャートである。
【図１６】本発明の第７の実施形態に係る表示例である。
【図１７】本発明の第８の実施形態に係るフローチャートである。
【図１８】本発明の第８の実施形態に係る表示例である。
【図１９】本発明の第８の実施形態に係る操作例である。
【図２０】本発明の第９の実施形態に係るフローチャートである。
【図２１】本発明の第９の実施形態に係る表示例である。
【図２２】本発明の第９の実施形態に係る操作例である。
【図２３】従来例に係るフローチャートである。
【発明を実施するための形態】
【００１４】
＜第１の実施形態＞
本発明の第１の実施形態について説明する。図１に、本実施形態に係る表示システムの一例を示す。図１の表示システムは、本発明を適用可能な電子機器の一例としての映像生成装置１００、表示装置１０９、及び、操作装置１１９を有する。
【００１５】
映像生成装置１００は、ＶＲ動画を再生可能な装置である。ＶＲ動画とは、ＶＲ表示をすることのできる動画であるものとする。ＶＲ動画には、全方位カメラ（全天球カメラ）で撮像した全方位動画（全天球動画）や、表示手段に一度に表示できる表示範囲より広い映像範囲（有効映像範囲）を持つパノラマ動画などが含まれるものとする。また、カメラで撮影した動画に限らず、コンピュータグラフィックスス（ＣＧ）を用いて作成した動画であっても、ＶＲ表示可能なものはＶＲ動画に含まれるものとする。ＶＲ動画は、最大で上下方向（垂直角度、天頂からの角度、仰角、俯角、高度角）３６０度、左右方向（水平角度、方位角度）３６０度の視野分の映像範囲（有効映像範囲）を持つ。また、ＶＲ動画は、上下３６０度未満、左右３６０度未満であっても、通常のカメラで撮影可能な画角よりも広い広範な画角（視野範囲）、あるいは、表示手段に一度に表示できる表示範囲より広い映像範囲（有効映像範囲）を持つ動画も含むものとする。例えば、左右方向（水平角度、方位角度）３６０度、天頂（ｚｅｎｉｔｈ）を中心とした垂直角度２１０度の視野分（画角分）の被写体を撮影可能な全天球カメラで撮影された動画はＶＲ動画の一種である。また、例えば、左右方向（水平角度、方位角度）１８０度、水平方向を中心とした垂直角度１８０度の視野分（画角分）の被写体を撮影可能なカメラで撮影された動画はＶＲ動画の一種である。すなわち、上下方向と左右方向にそれぞれ１６０度（±８０度）以上の視野分の映像範囲を有しており、人間が一度に視認できる範囲よりも広い映像範囲を有している動画はＶＲ動画の一種である。このＶＲ動画をＶＲ表示すると、左右回転方向に姿勢を変化させることで、左右方向（水平回転方向）には継ぎ目のない全方位の映像を視聴することができる。上下方向（垂直回転方向）には、真上（天頂）から見て±１０５度の範囲では継ぎ目のない全方位の映像を視聴することができるが、真上から１０５度を超える範囲は映像が存在しないブランク領域となる。ＶＲ動画は、「映像範囲が仮想現実空間（ＶＲ空間）の少なくとも一部である動画」とも言える。
【００１６】
ＶＲ表示とは、ＶＲ動画のうち、表示手段の姿勢に応じた視野範囲の映像を表示する、表示範囲を変更可能な表示方法である。表示手段であるヘッドマウントディスプレイ（ＨＭＤ）を装着して視聴する場合には、ユーザの顔の向きに応じた視野範囲の映像を表示することになる。例えば、ＶＲ動画のうち、ある時点で左右方向に０度（特定の方位、例えば北）、上下方向に９０度（天頂から９０度、すなわち水平）を中心とした視野角（画角）の映像を表示しているものとする。この状態から、表示手段の姿勢を表裏反転させると（例えば、表示面を南向きから北向きに変更すると）、同じＶＲ動画のうち、左右方向に１８０度（逆の方位、例えば南）、上下方向に９０度（水平）を中心とした視野角の映像に、表示範囲が変更される。ユーザがＨＭＤを視聴している場合で言えば、ユーザが顔を北から南に向ければ（すなわち後ろを向けば）、ＨＭＤに表示される映像も北の映像から南の映像に変わるということである。このようなＶＲ表示によって、ユーザに、視覚的にあたかもＶＲ動画内（ＶＲ空間内）のその場にいるような感覚を提供することができる。ＶＲゴーグル（ヘッドマウントアダプター）に装着されたスマートフォンは、ＨＭＤの一種と言える。姿勢の変化ではなく、タッチパネルや方向ボタンなどに対するユーザ操作に応じて、表示範囲を移動（スクロール）させてもよい。
【００１７】
映像生成装置１００において、ＣＰＵ１０１は、映像生成装置１００の全体を制御する制御部であり、少なくとも１つのプロセッサからなる。メモリ１２６は、例えばＲＡＭ（半導体素子を利用した揮発性のメモリなど）からなる。ＣＰＵ１０１は、例えば不揮発性メモリ１２７に格納されるプログラムに従い、メモリ１２６をワークメモリとして用いて、映像生成装置１００の各部を制御する。不揮発性メモリ１２７には、画像データや音声
データ、その他のデータ、ＣＰＵ１０１が動作するための各種プログラムなどが格納される。不揮発性メモリ１２７は例えばフラッシュメモリやＲＯＭなどで構成される。映像信号生成システムＩＣ１０２は、表示装置１０９に出力する映像信号を生成する。記憶媒体１０３は、ＶＲ動画などのデータを記憶する。制御信号入出力端子１０４は、制御信号の入出力を行う。映像信号出力端子１０５は、映像信号生成システムＩＣ１０２により生成された映像信号を表示装置１０９に出力する。給電部１０６は、表示装置１０９へ電源を供給する。操作無線通信部１０７は、映像生成装置１００に対するユーザ操作を受け付ける受付部である。具体的には、操作無線通信部１０７は、操作装置１１９と無線で各種情報のやりとりを行う。電源部１０８は、映像生成装置１００の各電気回路に電源を供給する。
【００１８】
表示装置１０９は、ＶＲ表示をすることが可能な装置であり、例えばＨＭＤである。表示装置１０９において、制御部１１０は、表示装置１０９の全体を制御する。角速度検出部１１１は、表示装置１０９の角速度を検出する。加速度検出部１１２は、表示装置１０９の加速度を検出する。映像信号処理システムＩＣ１１３は、映像生成装置１００から出力された映像信号の信号処理を行い、左側映像信号と右側映像信号とを生成する。左側映像表示部１１４は、左側映像信号に基づいて左側映像を表示し、左側接眼レンズ１１６は、当該左側映像を拡大する。右側映像表示部１１５は、右側映像信号に基づいて右側映像を表示し、右側接眼レンズ１１７は、当該右側映像を拡大する。電源部１１８は、表示装置１０９の各電気回路に電源を供給する。なお、表示装置１０９は映像生成装置１００と一体に構成されてもよい。
【００１９】
操作装置１１９は、映像生成装置１００に対するユーザ操作を受け付け可能な装置であり、例えばリモートコントローラである。操作装置１１９において、制御部１２０は、操作装置１１９の全体を制御する。角速度検出部１２１は、操作装置１１９の角速度を検出する。加速度検出部１２２は、操作装置１１９の加速度を検出する。操作入力部１２３は、ユーザ操作を受け付ける。操作無線通信部１２４は、映像生成装置１００と無線で各種情報のやりとりを行う。電源部１２５は、操作装置１１９の各電気回路に電源を供給する。なお、操作装置１１９は映像生成装置１００と一体に構成されてもよい。
【００２０】
図１の表示システムにおける基本的な動作について説明する。映像生成装置１００が表示装置１０９に接続されると、映像生成装置１００の制御信号入出力端子１０４が表示装置１０９の制御部１１０に接続される。また、映像生成装置１００の映像信号出力端子１０５が表示装置１０９の映像信号処理システムＩＣ１１３に接続され、映像生成装置１００の給電部１０６が表示装置１０９の電源部１１８に接続される。
【００２１】
映像生成装置１００のＣＰＵ１０１は、制御および演算を行う回路であり、記憶媒体１０３に対して、ＶＲ動画のデータを含む各種データの読み書きを行う。また、ＣＰＵ１０１は、制御信号入出力端子１０４を介して表示装置１０９の制御部１１０と制御信号のやり取りを行う。また、ＣＰＵ１０１は、操作無線通信部１０７を介して操作装置１１９の操作無線通信部１２４と各種情報のやり取りを行う。
【００２２】
操作装置１１９は、ユーザ操作を受け付け、映像生成装置１００と各種情報のやり取りを行う。操作装置１１９の制御部１２０は、操作装置１１９の各回路の制御を行う。例えば、制御部１２０は、操作装置１１９の角速度やその変化の情報を角速度検出部１２１から取得したり、操作装置１１９の加速度やその変化の情報を加速度検出部１２２から取得したりする。また、制御部１２０は、操作入力部１２３を用いて行われたユーザ操作を示す操作情報を操作入力部１２３から取得する。そして、制御部１２０は、角速度検出部１２１、加速度検出部１２２、操作入力部１２３、等から取得した情報を、操作無線通信部１２４を介して映像生成装置１００に出力する。ユーザ操作として、操作装置１１９を動
かす操作が行われることもある。そのため、操作装置１１９の角速度やその変化の情報、操作装置１１９の加速度やその変化の情報、等も、ユーザ操作を示す操作情報の一種と言える。
【００２３】
映像生成装置１００のＣＰＵ１０１は、記憶媒体１０３からＶＲ動画を読み出し、読み出したＶＲ動画を映像信号生成システムＩＣ１０２へ出力する。映像信号生成システムＩＣ１０２は、ＣＰＵ１０１から受け取ったＶＲ動画を用いた演算を行うことで表示用映像を生成し、当該表示用映像を映像信号出力端子１０５を介して表示装置１０９へ出力する。これにより、表示装置１０９は、表示用映像を表示する。例えば、ＣＰＵ１０１は、表示装置１０９からの制御信号、操作装置１１９からの操作情報、等に応じた範囲が表示範囲として表示装置１０９に表示されるように、映像信号生成システムＩＣ１０２の処理を制御する。具体的には、ＣＰＵ１０１は、表示装置１０９でＶＲ表示が行われるように、表示装置１０９の姿勢、または、ユーザ操作に応じて、表示範囲の位置を変更する。姿勢の情報としては、表示装置１０９の角速度検出部１１１で検出された角速度やその変化、表示装置１０９の加速度検出部１１２で検出された加速度やその変化、等が使用される。これらの情報は、表示装置１０９からの制御信号に含まれる。ユーザ操作の情報としては、操作装置１１９からの操作情報が使用される。
【００２４】
図２は、本実施形態の効果を示す概略図である。視聴者２００はＶＲ動画を視聴する視聴者であり、表示装置１０９を身に付けることによりＶＲ動画を使用することができる。また、視聴者２００は、操作装置１１９を用いて、通常再生、早送り、早戻し、等を含む複数の再生のいずれかを指示するユーザ操作を行うことができる。通常再生は、早送りや早戻しの再生速度よりも遅い再生速度での再生である。撮影された動画の通常再生は、撮影の時間と等しい時間での再生である。映像生成装置１００のＣＰＵ１０１は、行われたユーザ操作に応じた再生を行う。具体的には、ＣＰＵ１０１は、行われたユーザ操作に応じた再生が行われるように、映像信号生成システムＩＣ１０２の処理を制御する。
【００２５】
本実施形態では、ＣＰＵ１０１は、通常再生として、ＶＲ動画の各フレームの第１の範囲が表示範囲として表示装置１０９に表示されるような再生を行う。通常再生では、ＶＲ表示が行われる。図２に示すように、通常再生時には、第１の範囲が表示範囲として使用されることにより、視聴者２００は、実空間と同様の広がりを有するＶＲ空間２０１内のその場にいるような感覚を得ることができる。また、通常再生時には、視聴者２００は、顔の向き（表示装置１０９の姿勢）を変えたり、ユーザ操作を行ったりすることで、ＶＲ動画の映像範囲の大半を容易に確認することができる。
【００２６】
一方で、ＣＰＵ１０１は、特殊再生（早送りや早戻し）として、ＶＲ動画の各フレームの第２の範囲が表示範囲として表示装置１０９に表示されるような再生を行う。第２の範囲は、第１の範囲よりも広い。その結果、図２に示すように、特殊再生時には、視聴者２００は、ＶＲ空間２０１を圧縮した空間２０２でＶＲ動画を視聴することができ、ＶＲ動画の映像範囲の大半を視界に収めることができる。そのため、視聴者２００は、顔の向きを変えたり、ユーザ操作を行ったりせずに、ＶＲ動画の映像範囲の大半を容易に確認することができる。その結果、特殊再生時における映像変化の見逃しを抑制することができる。
【００２７】
図３は、本実施形態に係る表示例である。左側映像３００は、ＶＲ動画の通常再生時において左側映像表示部１１４に表示される映像である。右側映像３０１は、ＶＲ動画の通常再生時において右側映像表示部１１５に表示される映像である。視聴者は、左側接眼レンズ１１６を介して左眼で左側映像３００を見るとともに、右側接眼レンズ１１７を介して右眼で右側映像３０１を見ることにより、立体的な映像を認識できる。ここで、左側映像３００も右側映像３０１もＶＲ動画の映像範囲の一部の映像であり、ＶＲ動画の映像範
囲には視聴者の視界に入らない範囲が多く含まれる。左側映像３００の範囲と右側映像３０１の範囲とからなる範囲が上述した第１の範囲である。
【００２８】
左側映像３０２は、ＶＲ動画の特殊再生時において左側映像表示部１１４に表示される映像である。右側映像３０３は、ＶＲ動画の特殊再生時において右側映像表示部１１５に表示される映像である。視聴者は、左側接眼レンズ１１６を介して左眼で左側映像３０２を見るとともに、右側接眼レンズ１１７を介して右眼で右側映像３０３を見ることにより、立体的な映像を認識できる。ここで、左側映像３０２も右側映像３０３もＶＲ動画の映像範囲の大半の映像であり、ＶＲ動画の映像範囲の大半が視聴者の視界に入る。左側映像３０２の範囲と右側映像３０３の範囲とからなる範囲が上述した第２の範囲である。
【００２９】
図４は、映像生成装置１００で行われる再生処理のフローチャートである。このフローチャートにおける各処理は、ＣＰＵ１０１が不揮発性メモリ１２７に記録されたプログラムをメモリ１２６に展開して実行することにより実現される。図４のフローチャートは、例えば、映像生成装置１００に電源が投入され、ＶＲ動画の通常再生を指示するユーザ操作が映像生成装置１００（具体的には操作装置１１９）に対して行われたことに応じて開始される。
【００３０】
Ｓ４００では、ＣＰＵ１０１は、ＶＲ動画の通常再生を行う。このとき、ＣＰＵ１０１は、第１の範囲の映像（第１の範囲を構成する右側映像と左側映像）が表示装置１０９で表示されるように、映像信号生成システムＩＣ１０２の処理を制御する。
【００３１】
Ｓ４０１では、ＣＰＵ１０１は、特殊再生に備え、第２の範囲を予め設定する。例えば、ＣＰＵ１０１は、ＶＲ動画の映像範囲、ユーザ操作、等に基づいて第２の範囲を設定する。なお、第２の範囲が予め定められている場合には、Ｓ４０１の処理は省略可能である。
【００３２】
Ｓ４０２では、ＣＰＵ１０１は、ユーザ操作の有無を判定する。ＣＰＵ１０１は、ユーザ操作があったと判定するまでＳ４０２の処理を繰り返し、ユーザ操作があったと判定した場合にＳ４０３に処理を進める。ユーザ操作は、例えば、操作入力部１２３を用いたキー入力である。
【００３３】
Ｓ４０３では、ＣＰＵ１０１は、Ｓ４０２のユーザ操作が早送り操作（早送りを指示するユーザ操作）であるか否かを判定する。ＣＰＵ１０１は、Ｓ４０２のユーザ操作が早送り操作であると判定した場合にＳ４０４に処理を進め、そうでない場合にＳ４０６に処理を進める。
【００３４】
Ｓ４０４では、ＣＰＵ１０１は、ＶＲ動画の早送り（早送り再生）を行う。このとき、ＣＰＵ１０１は、第２の範囲の映像（第２の範囲を構成する左側映像と右側映像）が表示装置１０９で表示されるように、映像信号生成システムＩＣ１０２の処理を制御する。
【００３５】
Ｓ４０５では、ＣＰＵ１０１は、早送りの解除が指示されたか否かを判定する。早送りの解除は、早送り操作の解除、早送り操作とは異なるユーザ操作、等によって指示される。ＣＰＵ１０１は、早送りの解除が指示されたと判定するまでＳ４０４とＳ４０５の処理を繰り返し、早送りの解除が指示されたと判定した場合にＳ４０９に処理を進める。
【００３６】
Ｓ４０６では、ＣＰＵ１０１は、Ｓ４０２のユーザ操作が早戻し操作（早戻しを指示するユーザ操作）であるか否かを判定する。ＣＰＵ１０１は、Ｓ４０２のユーザ操作が早戻し操作であると判定した場合にＳ４０７に処理を進め、そうでない場合にＳ４０２に処理を戻す。
【００３７】
Ｓ４０７では、ＣＰＵ１０１は、ＶＲ動画の早戻し（早戻し再生）を行う。このとき、ＣＰＵ１０１は、第２の範囲の映像が表示装置１０９で表示されるように、映像信号生成システムＩＣ１０２の処理を制御する。
【００３８】
Ｓ４０８では、ＣＰＵ１０１は、早戻しの解除が指示されたか否かを判定する。早戻しの解除は、早戻し操作の解除、早戻し操作とは異なるユーザ操作、等によって指示される。ＣＰＵ１０１は、早戻しの解除が指示されたと判定するまでＳ４０７とＳ４０８の処理を繰り返し、早戻しの解除が指示されたと判定した場合にＳ４０９に処理を進める。
【００３９】
Ｓ４０９では、ＣＰＵ１０１は、特殊再生（Ｓ４０４の早送り、または、Ｓ４０７の早戻し）を解除し、ＶＲ動画の通常再生を行う。このとき、ＣＰＵ１０１は、第１の範囲の映像が表示装置１０９で表示されるように、映像信号生成システムＩＣ１０２の処理を制御する。
【００４０】
なお、図示は省略されているが、ＶＲ動画の再生が停止するまで、Ｓ４０２〜Ｓ４１１のが繰り返される。
【００４１】
以上述べたように、本実施形態によれば、通常再生で表示される第１の範囲よりも広い第２の範囲が特殊再生で表示される。これにより、特殊再生時において、視聴者は、顔の向きを変えたり、ユーザ操作を行ったりせずに、ＶＲ動画の映像範囲の大半を容易に確認することができる。その結果、特殊再生時における映像変化の見逃しを抑制することができる。
【００４２】
＜第２の実施形態＞
本発明の第２の実施形態について説明する。なお、以下では、第１の実施形態と異なる点について詳しく説明し、第１の実施形態と同じ点についての説明は省略する。
【００４３】
図５は、本実施形態に係る再生処理のフローチャートである。このフローチャートにおける各処理は、ＣＰＵ１０１が不揮発性メモリ１２７に記録されたプログラムをメモリ１２６に展開して実行することにより実現される。図５のフローチャートは、例えば、映像生成装置１００に電源が投入され、ＶＲ動画の通常再生を指示するユーザ操作が映像生成装置１００（具体的には操作装置１１９）に対して行われたことに応じて開始される。Ｓ５００、Ｓ５０２〜Ｓ５０９の処理は、図４のＳ４００、Ｓ４０２〜Ｓ４０９の処理と同じである。
【００４４】
Ｓ５０１では、ＣＰＵ１０１は、ＶＲ動画の各フレームの映像範囲の全体を、第２の範囲として予め設定する。
【００４５】
図６は、本実施形態に係る表示例である。左側映像６００は、ＶＲ動画の特殊再生時において左側映像表示部１１４に表示される映像である。右側映像６０１は、ＶＲ動画の特殊再生時において右側映像表示部１１５に表示される映像である。視聴者は、左側接眼レンズ１１６を介して左眼で左側映像６００を見るとともに、右側接眼レンズ１１７を介して右眼で右側映像６０１を見ることにより、立体的な映像を認識できる。ここで、左側映像６００の範囲と右側映像６０１の範囲とからなる範囲が、第２の範囲であり、ＶＲ動画の映像範囲６０２の全体の範囲である。そのため、映像範囲６０２の全体が視聴者の視界に入る。
【００４６】
以上述べたように、本実施形態によれば、ＶＲ動画の映像範囲の全体が、第２の範囲として、特殊再生で表示される。そのため、視聴者２００は、顔の向きを変えたり、ユーザ
操作を行ったりせずに、ＶＲ動画の映像範囲の全体を容易に確認することができる。その結果、特殊再生時における映像変化の見逃しをより確実に抑制することができる。
【００４７】
＜第３の実施形態＞
本発明の第３の実施形態について説明する。なお、以下では、第１の実施形態と異なる点について詳しく説明し、第１の実施形態と同じ点についての説明は省略する。
【００４８】
図７は、本実施形態に係る再生処理のフローチャートである。このフローチャートにおける各処理は、ＣＰＵ１０１が不揮発性メモリ１２７に記録されたプログラムをメモリ１２６に展開して実行することにより実現される。図７のフローチャートは、例えば、映像生成装置１００に電源が投入され、ＶＲ動画の通常再生を指示するユーザ操作が映像生成装置１００（具体的には操作装置１１９）に対して行われたことに応じて開始される。Ｓ７００、Ｓ７０２〜Ｓ７０９の処理は、図４のＳ４００、Ｓ４０２〜Ｓ４０９の処理と同じである。
【００４９】
Ｓ７０１では、ＣＰＵ１０１は、ＶＲ動画の各フレームの映像範囲の５０％以上かつ１５０％以下の範囲を、第２の範囲として予め設定する。
【００５０】
図８は、本実施形態に係る表示例である。左側映像８００は、ＶＲ動画の特殊再生時において左側映像表示部１１４に表示される映像である。右側映像８０１は、ＶＲ動画の特殊再生時において右側映像表示部１１５に表示される映像である。左側映像８００の範囲と右側映像８０１の範囲とからなる範囲は、ＶＲ動画の映像範囲８０４の５０％の範囲である。映像範囲８０４の５０％の範囲が第２の範囲として設定された場合に、左側映像８００と右側映像８０１が表示装置１０９に表示される。
【００５１】
左側映像８０２は、ＶＲ動画の特殊再生時において左側映像表示部１１４に表示される映像である。右側映像８０３は、ＶＲ動画の特殊再生時において右側映像表示部１１５に表示される映像である。左側映像８０２の範囲と右側映像８０３の範囲とからなる範囲は、ＶＲ動画の映像範囲８０４の１５０％の範囲である。映像範囲８０４の１５０％の範囲が第２の範囲として設定された場合に、左側映像８０２と右側映像８０３が表示装置１０９に表示される。
【００５２】
以上述べたように、本実施形態によれば、第１の実施形態と同様の効果が得られる。ここで、第２の範囲がＶＲ動画の映像範囲の５０％よりも狭い場合には、特殊再生時において、映像変化が激しく、視聴者が映像変化を把握するのが困難である。さらに、激しい映像変化により、視聴者が気分を悪くする虞がある。また、第２の範囲がＶＲ動画の映像範囲の１５０％よりも広い場合には、特殊再生時において、映像内の物体が小さく、映像が見づらい。本実施形態によれば、ＶＲ動画の映像範囲の５０％以上かつ１５０％以下の範囲が、第２の範囲として、特殊再生で表示される。これにより、より見やすい映像を特殊再生で表示することができる。
【００５３】
＜第４の実施形態＞
本発明の第４の実施形態について説明する。なお、以下では、第１の実施形態と異なる点について詳しく説明し、第１の実施形態と同じ点についての説明は省略する。
【００５４】
図９は、本実施形態に係る再生処理のフローチャートである。このフローチャートにおける各処理は、ＣＰＵ１０１が不揮発性メモリ１２７に記録されたプログラムをメモリ１２６に展開して実行することにより実現される。図９のフローチャートは、例えば、映像生成装置１００に電源が投入され、ＶＲ動画の通常再生を指示するユーザ操作が映像生成装置１００（具体的には操作装置１１９）に対して行われたことに応じて開始される。Ｓ
９００、Ｓ９０２〜Ｓ９０９の処理は、図４のＳ４００、Ｓ４０２〜Ｓ４０９の処理と同じである。
【００５５】
Ｓ９０１では、ＣＰＵ１０１は、ＶＲ動画の各フレームの映像範囲から上端部と下端部を除いた範囲を、第２の範囲として予め設定する。
【００５６】
図１０は、本実施形態に係る表示例である。左側映像１０００は、ＶＲ動画の特殊再生時において左側映像表示部１１４に表示される映像である。右側映像１００１は、ＶＲ動画の特殊再生時において右側映像表示部１１５に表示される映像である。左側映像１０００の範囲と右側映像１００１の範囲とからなる範囲は、ＶＲ動画の映像範囲１００２から上端部と下端部を除いた範囲である。
【００５７】
以上述べたように、本実施形態によれば、第１の実施形態と同様の効果が得られる。ここで、ＶＲ動画の映像範囲の上端部と下端部は、視聴において重要でない場合が多い。本実施形態によれば、ＶＲ動画の映像範囲から上端部と下端部を除いた範囲が、第２の範囲として、特殊再生で表示される。これにより、上下方向（垂直方向）の画素数がより多い映像を特殊再生で表示することができ、遠距離にある小さな物体などがより見やすい映像を特殊再生で表示することができる。
【００５８】
＜第５の実施形態＞
本発明の第５の実施形態について説明する。なお、以下では、第１の実施形態と異なる点について詳しく説明し、第１の実施形態と同じ点についての説明は省略する。
【００５９】
図１１は、本実施形態に係る再生処理のフローチャートである。このフローチャートにおける各処理は、ＣＰＵ１０１が不揮発性メモリ１２７に記録されたプログラムをメモリ１２６に展開して実行することにより実現される。図１１のフローチャートは、例えば、映像生成装置１００に電源が投入され、ＶＲ動画の通常再生を指示するユーザ操作が映像生成装置１００（具体的には操作装置１１９）に対して行われたことに応じて開始される。Ｓ１１００、Ｓ１１０２、Ｓ１１０３、Ｓ１１０５、Ｓ１１０６、Ｓ１１０８、Ｓ１１０９の処理は、図４のＳ４００、Ｓ４０２、Ｓ４０３、Ｓ４０５、Ｓ４０６、Ｓ４０８、Ｓ４０９の処理と同じである。
【００６０】
Ｓ１１０１では、ＣＰＵ１０１は、特殊再生で使用する範囲として、第１の範囲または第２の範囲を予め設定する。例えば、ＣＰＵ１０１は、ＶＲ動画の映像範囲、ユーザ操作、等に基づいて第１の範囲または第２の範囲を設定する。
【００６１】
Ｓ１１０４では、ＣＰＵ１０１は、ＶＲ動画の早送りを行う。Ｓ１１０７では、ＣＰＵ１０１は、ＶＲ動画の早戻しを行う。Ｓ１１０４とＳ１１０７では、ＣＰＵ１０１は、Ｓ１１０１で設定された範囲の映像が表示装置１０９で表示されるように、映像信号生成システムＩＣ１０２の処理を制御する。
【００６２】
図１２は、本実施形態に係る表示例である。左側映像１２００は、ＶＲ動画の特殊再生時において左側映像表示部１１４に表示される映像である。右側映像１２０１は、ＶＲ動画の特殊再生時において右側映像表示部１１５に表示される映像である。左側映像１２００の範囲と右側映像１２０１の範囲とからなる範囲は、第１の範囲である。Ｓ１１０１で第１の範囲が設定された場合に、左側映像１２００と右側映像１２０１が表示装置１０９に表示される。
【００６３】
左側映像１２０２は、ＶＲ動画の特殊再生時において左側映像表示部１１４に表示される映像である。右側映像１２０３は、ＶＲ動画の特殊再生時において右側映像表示部１１
５に表示される映像である。左側映像１２０２の範囲と右側映像１２０３の範囲とからなる範囲は、第２の範囲である。Ｓ１１０１で第２の範囲が設定された場合に、左側映像１２０２と右側映像１２０３が表示装置１０９に表示される。
【００６４】
以上述べたように、本実施形態によれば、特殊再生で第２の範囲を使用することにより、第１の実施形態と同様の効果が得られる。さらに、本実施形態によれば、第１の範囲を特殊再生で使用することができる。これにより、特殊再生時において、状況に応じたより好適な範囲を表示することができる。
【００６５】
＜第６の実施形態＞
本発明の第６の実施形態について説明する。なお、以下では、第１の実施形態と異なる点について詳しく説明し、第１の実施形態と同じ点についての説明は省略する。本実施形態では、ＣＰＵ１０１は、ユーザ操作などに基づいて、特殊再生における再生速度を変更することができる。
【００６６】
図１３は、本実施形態に係る再生処理のフローチャートである。このフローチャートにおける各処理は、ＣＰＵ１０１が不揮発性メモリ１２７に記録されたプログラムをメモリ１２６に展開して実行することにより実現される。図１３のフローチャートは、例えば、映像生成装置１００に電源が投入され、ＶＲ動画の通常再生を指示するユーザ操作が映像生成装置１００（具体的には操作装置１１９）に対して行われたことに応じて開始される。
【００６７】
Ｓ１３００〜Ｓ１３０３の処理は、図４のＳ４００〜Ｓ４０３の処理と同じである。ＣＰＵ１０１は、Ｓ１３０２のユーザ操作が早送り操作であると判定した場合にＳ１３０３からＳ１３０４に処理を進め、そうでない場合にＳ１３０３からＳ１３０８に処理を進める。
【００６８】
Ｓ１３０４では、ＣＰＵ１０１は、Ｓ１３０２の早送り操作に対応する早送りの再生速度が所定の閾値速度以上であるか否かを判定する。ＣＰＵ１０１は、再生速度が閾値速度以上であると判定した場合にＳ１３０５に処理を進め、そうでない場合にＳ１３０６に処理を進める。
【００６９】
Ｓ１３０５とＳ１３０６では、ＣＰＵ１０１は、ＶＲ動画の早送りを行う。Ｓ１３０５では、ＣＰＵ１０１は、第２の範囲の映像が表示装置１０９で表示されるように、映像信号生成システムＩＣ１０２の処理を制御する。Ｓ１３０６では、第１の範囲の映像が表示装置１０９で表示されるように、映像信号生成システムＩＣ１０２の処理を制御する。
【００７０】
Ｓ１３０７では、ＣＰＵ１０１は、早送りの解除が指示されたか否かを判定する。ＣＰＵ１０１は、早送りの解除が指示されたと判定するまでＳ１３０４〜Ｓ１３０７の処理を繰り返し、早送りの解除が指示されたと判定した場合にＳ１３１３に処理を進める。Ｓ１３１３の処理は、図４のＳ４０９の処理と同じである。
【００７１】
Ｓ１３０８では、ＣＰＵ１０１は、Ｓ１３０２のユーザ操作が早戻し操作であるか否かを判定する。ＣＰＵ１０１は、Ｓ１３０２のユーザ操作が早戻し操作であると判定した場合にＳ１３０９に処理を進め、そうでない場合にＳ１３０２に処理を戻す。
【００７２】
Ｓ１３０９では、ＣＰＵ１０１は、Ｓ１３０２の早戻し操作に対応する早戻しの再生速度が所定の閾値速度以上であるか否かを判定する。ＣＰＵ１０１は、再生速度が閾値速度以上であると判定した場合にＳ１３１０に処理を進め、そうでない場合にＳ１３１１に処理を進める。
【００７３】
Ｓ１３１０とＳ１３１１では、ＣＰＵ１０１は、ＶＲ動画の早戻しを行う。Ｓ１３１０では、ＣＰＵ１０１は、第２の範囲の映像が表示装置１０９で表示されるように、映像信号生成システムＩＣ１０２の処理を制御する。Ｓ１３１１では、第１の範囲の映像が表示装置１０９で表示されるように、映像信号生成システムＩＣ１０２の処理を制御する。
【００７４】
Ｓ１３１２では、ＣＰＵ１０１は、早戻しの解除が指示されたか否かを判定する。ＣＰＵ１０１は、早戻しの解除が指示されたと判定するまでＳ１３０９〜Ｓ１３１２の処理を繰り返し、早送りの解除が指示されたと判定した場合にＳ１３１３に処理を進める。
【００７５】
図１４は、本実施形態に係る表示例である。左側映像１４００は、ＶＲ動画の特殊再生時において左側映像表示部１１４に表示される映像である。右側映像１４０１は、ＶＲ動画の特殊再生時において右側映像表示部１１５に表示される映像である。左側映像１４００の範囲と右側映像１４０１の範囲とからなる範囲は、第１の範囲である。特殊再生の再生速度が閾値速度未満である場合に、左側映像１４００と右側映像１４０１が表示装置１０９に表示される。
【００７６】
左側映像１４０２は、ＶＲ動画の特殊再生時において左側映像表示部１１４に表示される映像である。右側映像１４０３は、ＶＲ動画の特殊再生時において右側映像表示部１１５に表示される映像である。左側映像１４０２の範囲と右側映像１４０３の範囲とからなる範囲は、第２の範囲である。特殊再生の再生速度が閾値速度以上である場合に、左側映像１４０２と右側映像１４０３が表示装置１０９に表示される。
【００７７】
以上述べたように、本実施形態によれば、特殊再生で第２の範囲を使用することにより、第１の実施形態と同様の効果が得られる。ここで、特殊再生の再生速度が遅い場合には、第１の範囲を特殊再生で使用しても、視聴者は、顔の向き（表示装置の姿勢）を変えたり、ユーザ操作を行ったりすることで、ＶＲ動画の映像範囲の大半を容易に確認することができる。そのため、特殊再生時における映像変化の見逃しは（殆ど）生じない。そして、そのような特殊再生では、物体が大きい等のより見やすい映像を表示することができる。本実施形態によれば、特殊再生の再生速度が閾値速度未満である場合に第１の範囲が特殊再生で使用される。これにより、特殊再生時において、より見やすい映像を表示することができる。
【００７８】
＜第７の実施形態＞
本発明の第７の実施形態について説明する。なお、以下では、第１の実施形態と異なる点について詳しく説明し、第１の実施形態と同じ点についての説明は省略する。
【００７９】
図１５は、本実施形態に係る再生処理のフローチャートである。このフローチャートにおける各処理は、ＣＰＵ１０１が不揮発性メモリ１２７に記録されたプログラムをメモリ１２６に展開して実行することにより実現される。図１５のフローチャートは、例えば、映像生成装置１００に電源が投入され、ＶＲ動画の通常再生を指示するユーザ操作が映像生成装置１００（具体的には操作装置１１９）に対して行われたことに応じて開始される。Ｓ１５００〜Ｓ１５０３、Ｓ１５０５〜Ｓ１５０６、Ｓ１５０８、Ｓ１５０９の処理は、図４のＳ４００〜Ｓ４０３、Ｓ４０５〜Ｓ４０６、Ｓ４０８、Ｓ４０９の処理と同じである。
【００８０】
Ｓ１５０４では、ＣＰＵ１０１は、ＶＲ動画の早送りを行う。Ｓ１５０７では、ＣＰＵ１０１は、ＶＲ動画の早戻しを行う。Ｓ１５０４とＳ１５０７では、ＣＰＵ１０１は、表示範囲が第１の範囲から第２の範囲へ段階的に変化するように、映像信号生成システムＩＣ１０２の処理を制御する。例えば、ＣＰＵ１０１は、所定の段階数で表示範囲が変化す
るように、映像信号生成システムＩＣ１０２の処理を制御する。ＣＰＵ１０１は、所定の変化量での表示範囲の拡大が繰り返されるように、映像信号生成システムＩＣ１０２の処理を制御してもよい。
【００８１】
図１６は、本実施形態に係る表示例である。左側映像１６００，１６０２，１６０４，１６０６は、ＶＲ動画の特殊再生時において左側映像表示部１１４に表示される映像である。右側映像１６０１，１６０３，１６０５，１６０７は、ＶＲ動画の特殊再生時において右側映像表示部１１５に表示される映像である。左側映像１６００の範囲と右側映像１６０１の範囲とからなる範囲は、第１の範囲である。特殊再生の開始直後には、左側映像１６００と右側映像１６０１が表示装置１０９に表示される。その後、左側映像１６０２と右側映像１６０３が表示装置１０９に表示される。左側映像１６０２は左側映像１６００の範囲よりも広く、右側映像１６０３の範囲は右側映像１６０１の範囲よりも広い。その後、左側映像１６０４と右側映像１６０５が表示装置１０９に表示される。左側映像１６０４は左側映像１６０２の範囲よりも広く、右側映像１６０５の範囲は右側映像１６０３の範囲よりも広い。その後、左側映像１６０６と右側映像１６０７が表示装置１０９に表示される。左側映像１６０６は左側映像１６０４の範囲よりも広く、右側映像１６０７の範囲は右側映像１６０５の範囲よりも広い。左側映像１６０６の範囲と右側映像１６０７の範囲とからなる範囲は、第２の範囲である。
【００８２】
以上述べたように、本実施形態によれば、第１の実施形態と同様の効果が得られる。さらに、本実施形態によれば、特殊再生時において、表示範囲が第１の範囲から第２の範囲に急激に変化せずに、段階的に変化する。これにより、表示範囲の変化の違和感を低減することができる。
【００８３】
＜第８の実施形態＞
本発明の第８の実施形態について説明する。なお、以下では、第１の実施形態と異なる点について詳しく説明し、第１の実施形態と同じ点についての説明は省略する。本実施形態では、複数の早送り操作と複数の早戻し操作とが存在する。
【００８４】
図１７は、本実施形態に係る再生処理のフローチャートである。このフローチャートにおける各処理は、ＣＰＵ１０１が不揮発性メモリ１２７に記録されたプログラムをメモリ１２６に展開して実行することにより実現される。図１７のフローチャートは、例えば、映像生成装置１００に電源が投入され、ＶＲ動画の通常再生を指示するユーザ操作が映像生成装置１００（具体的には操作装置１１９）に対して行われたことに応じて開始される。
【００８５】
Ｓ１７００〜Ｓ１７０２の処理は、図４のＳ４００〜Ｓ４０２の処理と同じである。ＣＰＵ１０１は、ユーザ操作があったと判定するまでＳ１７０２の処理を繰り返し、ユーザ操作があったと判定した場合にＳ１７０２からＳ１７０３に処理を進める。
【００８６】
Ｓ１７０３では、ＣＰＵ１０１は、Ｓ１７０２のユーザ操作が第１の早送り操作であるか否かを判定する。ＣＰＵ１０１は、Ｓ１７０２のユーザ操作が第１の早送り操作であると判定した場合にＳ１７０４に処理を進め、そうでない場合にＳ１７０６に処理を進める。
【００８７】
Ｓ１７０４では、ＣＰＵ１０１は、ＶＲ動画の早送りを行う。Ｓ１７０４では、ＣＰＵ１０１は、第２の範囲の映像が表示装置１０９で表示されるように、映像信号生成システムＩＣ１０２の処理を制御する。Ｓ１７０５では、ＣＰＵ１０１は、早送りの解除が指示されたか否かを判定する。ＣＰＵ１０１は、早送りの解除が指示されたと判定するまでＳ１７０４とＳ１７０５の処理を繰り返し、早送りの解除が指示されたと判定した場合にＳ
１７１５に処理を進める。Ｓ１７１５の処理は、図４のＳ４０９の処理と同じである。
【００８８】
Ｓ１７０６では、ＣＰＵ１０１は、Ｓ１７０２のユーザ操作が第２の早送り操作であるか否かを判定する。ＣＰＵ１０１は、Ｓ１７０２のユーザ操作が第２の早送り操作であると判定した場合にＳ１７０７に処理を進め、そうでない場合にＳ１７０９に処理を進める。
【００８９】
Ｓ１７０７では、ＣＰＵ１０１は、ＶＲ動画の早送りを行う。Ｓ１７０７では、ＣＰＵ１０１は、第１の範囲の映像が表示装置１０９で表示されるように、映像信号生成システムＩＣ１０２の処理を制御する。Ｓ１７０８では、ＣＰＵ１０１は、早送りの解除が指示されたか否かを判定する。ＣＰＵ１０１は、早送りの解除が指示されたと判定するまでＳ１７０７とＳ１７０８の処理を繰り返し、早送りの解除が指示されたと判定した場合にＳ１７１５に処理を進める。
【００９０】
Ｓ１７０９では、ＣＰＵ１０１は、Ｓ１７０２のユーザ操作が第１の早戻し操作であるか否かを判定する。ＣＰＵ１０１は、Ｓ１７０２のユーザ操作が第１の早戻し操作であると判定した場合にＳ１７１０に処理を進め、そうでない場合にＳ１７１２に処理を進める。
【００９１】
Ｓ１７１０では、ＣＰＵ１０１は、ＶＲ動画の早戻しを行う。Ｓ１７１０では、ＣＰＵ１０１は、第２の範囲の映像が表示装置１０９で表示されるように、映像信号生成システムＩＣ１０２の処理を制御する。Ｓ１７１１では、ＣＰＵ１０１は、早戻しの解除が指示されたか否かを判定する。ＣＰＵ１０１は、早戻しの解除が指示されたと判定するまでＳ１７１０とＳ１７１１の処理を繰り返し、早戻しの解除が指示されたと判定した場合にＳ１７１５に処理を進める。
【００９２】
Ｓ１７１２では、ＣＰＵ１０１は、Ｓ１７０２のユーザ操作が第２の早戻し操作であるか否かを判定する。ＣＰＵ１０１は、Ｓ１７０２のユーザ操作が第２の早戻し操作であると判定した場合にＳ１７１３に処理を進め、そうでない場合にＳ１７０２に処理を戻す。
【００９３】
Ｓ１７１３では、ＣＰＵ１０１は、ＶＲ動画の早戻しを行う。Ｓ１７１３では、ＣＰＵ１０１は、第１の範囲の映像が表示装置１０９で表示されるように、映像信号生成システムＩＣ１０２の処理を制御する。Ｓ１７１４では、ＣＰＵ１０１は、早戻しの解除が指示されたか否かを判定する。ＣＰＵ１０１は、早戻しの解除が指示されたと判定するまでＳ１７１３とＳ１７１４の処理を繰り返し、早戻しの解除が指示されたと判定した場合にＳ１７１５に処理を進める。
【００９４】
図１８は、本実施形態に係る表示例である。左側映像１８００は、ＶＲ動画の特殊再生時において左側映像表示部１１４に表示される映像である。右側映像１８０１は、ＶＲ動画の特殊再生時において右側映像表示部１１５に表示される映像である。左側映像１８００の範囲と右側映像１８０１の範囲とからなる範囲は、第１の範囲である。第２の早送り操作または第２の早戻し操作が行われた場合に、左側映像１８００と右側映像１８０１が表示装置１０９に表示される。
【００９５】
左側映像１８０２は、ＶＲ動画の特殊再生時において左側映像表示部１１４に表示される映像である。右側映像１８０３は、ＶＲ動画の特殊再生時において右側映像表示部１１５に表示される映像である。左側映像１８０２の範囲と右側映像１８０３の範囲とからなる範囲は、第２の範囲である。第１の早送り操作または第１の早戻し操作が行われた場合に、左側映像１８０２と右側映像１８０３が表示装置１０９に表示される。
【００９６】
図１９は、本実施形態に係る操作例である。映像１９００は、第１の早送り操作、第２の早送り操作、第１の早戻し操作、第２の早戻し操作、等が行われる際に左側映像表示部１１４と右側映像表示部１１５に表示される映像である。アイテム１９０１を選択する操作が第１の早送り操作であり、アイテム１９０２を選択する操作が第２の早送り操作である。そして、アイテム１９０３を選択する操作が第１の早戻し操作であり、アイテム１９０４を選択する操作が第２の早戻し操作である。なお、これらはあくまで一例であり、アイテムの図柄、第１の早送り操作、第２の早送り操作、第１の早戻し操作、第２の早戻し操作、等は特に限定されない。
【００９７】
以上述べたように、本実施形態によれば、特殊再生で第２の範囲を使用することにより、第１の実施形態と同様の効果が得られる。さらに、本実施形態では、特殊再生を指示するユーザ操作に応じて、特殊再生で使用される範囲が第１の範囲と第２の範囲との間で切り替えられる。これにより、視聴者の好みに応じた範囲を特殊再生で使用でき、利便性を向上することができる。
【００９８】
＜第９の実施形態＞
本発明の第９の実施形態について説明する。なお、以下では、第１の実施形態と異なる点について詳しく説明し、第１の実施形態と同じ点についての説明は省略する。本実施形態では、複数の早送り操作と複数の早戻し操作とが存在する。
【００９９】
図２０は、本実施形態に係る再生処理のフローチャートである。このフローチャートにおける各処理は、ＣＰＵ１０１が不揮発性メモリ１２７に記録されたプログラムをメモリ１２６に展開して実行することにより実現される。図２０のフローチャートは、例えば、映像生成装置１００に電源が投入され、ＶＲ動画の通常再生を指示するユーザ操作が映像生成装置１００（具体的には操作装置１１９）に対して行われたことに応じて開始される。
【０１００】
Ｓ２０００〜Ｓ２００３の処理は、図４のＳ４００〜Ｓ４０３の処理と同じである。ＣＰＵ１０１は、Ｓ２００２のユーザ操作が早送り操作であると判定した場合にＳ２００３からＳ２００４に処理を進め、そうでない場合にＳ２００３からＳ２０１０に処理を進める。
【０１０１】
Ｓ２００４では、ＣＰＵ１０１は、ＶＲ動画の早送りを行う。本実施形態では、ＣＰＵ１０１は、早送り中のユーザ操作に応じて、表示範囲を、第１の範囲と第２の範囲の間で切り替える。１回目のＳ２００４の処理では、ＣＰＵ１０１は、第２の範囲の映像が表示装置１０９で表示されるように、映像信号生成システムＩＣ１０２の処理を制御する。１回目のＳ２００４の処理で、ＣＰＵ１０１は、第１の範囲の映像が表示装置１０９で表示されるように、映像信号生成システムＩＣ１０２の処理を制御してもよい。２回目以降のＳ２００４の処理では、ＣＰＵ１０１は、表示範囲が維持されるように、映像信号生成システムＩＣ１０２の処理を制御する。
【０１０２】
Ｓ２００５では、ＣＰＵ１０１は、第１の切替操作が行われたか否かを判定する。ＣＰＵ１０１は、第１の切替操作が行われたと判定した場合にＳ２００６に処理を進め、そうでない場合にＳ２００７に処理を進める。
【０１０３】
Ｓ２００６では、ＣＰＵ１０１は、表示範囲が第２の範囲に切り替わるように、映像信号生成システムＩＣ１０２の処理を制御する。現在の表示範囲が第２の範囲である場合には、ＣＰＵ１０１は、表示範囲が維持されるように、映像信号生成システムＩＣ１０２の処理を制御する。
【０１０４】
Ｓ２００７では、ＣＰＵ１０１は、第２の切替操作が行われたか否かを判定する。ＣＰＵ１０１は、第２の切替操作が行われたと判定した場合にＳ２００８に処理を進め、そうでない場合にＳ２００９に処理を進める。
【０１０５】
Ｓ２００８では、ＣＰＵ１０１は、表示範囲が第１の範囲に切り替わるように、映像信号生成システムＩＣ１０２の処理を制御する。現在の表示範囲が第１の範囲である場合には、ＣＰＵ１０１は、表示範囲が維持されるように、映像信号生成システムＩＣ１０２の処理を制御する。
【０１０６】
Ｓ２００９では、ＣＰＵ１０１は、早送りの解除が指示されたか否かを判定する。ＣＰＵ１０１は、早送りの解除が指示されたと判定するまでＳ２００４〜Ｓ２００９の処理を繰り返し、早送りの解除が指示されたと判定した場合にＳ２０１７に処理を進める。Ｓ２０１７の処理は、図４のＳ４０９の処理と同じである。
【０１０７】
Ｓ２０１０では、ＣＰＵ１０１は、Ｓ２００２のユーザ操作が早戻し操作であるか否かを判定する。ＣＰＵ１０１は、Ｓ２００２のユーザ操作が早戻し操作であると判定した場合にＳ２０１１に処理を進め、そうでない場合にＳ２００２に処理を戻す。
【０１０８】
Ｓ２０１１では、ＣＰＵ１０１は、ＶＲ動画の早戻しを行う。本実施形態では、ＣＰＵ１０１は、早戻し中のユーザ操作に応じて、表示範囲を、第１の範囲と第２の範囲の間で切り替える。１回目のＳ２０１１の処理では、ＣＰＵ１０１は、第２の範囲の映像が表示装置１０９で表示されるように、映像信号生成システムＩＣ１０２の処理を制御する。１回目のＳ２０１１の処理で、ＣＰＵ１０１は、第１の範囲の映像が表示装置１０９で表示されるように、映像信号生成システムＩＣ１０２の処理を制御してもよい。２回目以降のＳ２０１１の処理では、ＣＰＵ１０１は、表示範囲が維持されるように、映像信号生成システムＩＣ１０２の処理を制御する。
【０１０９】
Ｓ２０１２では、ＣＰＵ１０１は、第１の切替操作が行われたか否かを判定する。ＣＰＵ１０１は、第１の切替操作が行われたと判定した場合にＳ２０１３に処理を進め、そうでない場合にＳ２０１４に処理を進める。
【０１１０】
Ｓ２０１３では、ＣＰＵ１０１は、表示範囲が第２の範囲に切り替わるように、映像信号生成システムＩＣ１０２の処理を制御する。現在の表示範囲が第２の範囲である場合には、ＣＰＵ１０１は、表示範囲が維持されるように、映像信号生成システムＩＣ１０２の処理を制御する。
【０１１１】
Ｓ２０１４では、ＣＰＵ１０１は、第２の切替操作が行われたか否かを判定する。ＣＰＵ１０１は、第２の切替操作が行われたと判定した場合にＳ２０１５に処理を進め、そうでない場合にＳ２０１６に処理を進める。
【０１１２】
Ｓ２０１５では、ＣＰＵ１０１は、表示範囲が第１の範囲に切り替わるように、映像信号生成システムＩＣ１０２の処理を制御する。現在の表示範囲が第１の範囲である場合には、ＣＰＵ１０１は、表示範囲が維持されるように、映像信号生成システムＩＣ１０２の処理を制御する。
【０１１３】
Ｓ２０１６では、ＣＰＵ１０１は、早戻しの解除が指示されたか否かを判定する。ＣＰＵ１０１は、早戻しの解除が指示されたと判定するまでＳ２０１１〜Ｓ２０１６の処理を繰り返し、早戻しの解除が指示されたと判定した場合にＳ２０１７に処理を進める。
【０１１４】
図２１は、本実施形態に係る表示例である。左側映像２１００，２１０２は、ＶＲ動画
の特殊再生時において左側映像表示部１１４に表示される映像である。右側映像２１０１，２１０３は、ＶＲ動画の特殊再生時において右側映像表示部１１５に表示される映像である。左側映像２１００の範囲と右側映像２１０１の範囲とからなる範囲は、第１の範囲である。左側映像２１０２の範囲と右側映像２１０３の範囲とからなる範囲は、第２の範囲である。ここで、左側映像２１００と右側映像２１０１が表示されている状態で第１の切替操作が行われる場合を考える。この場合には、第１の切替操作に応じて、左側映像２１００から左側映像２１０２へ左側映像表示部１１４の表示が切り替えられ、右側映像２１０１から右側映像２１０３へ右側映像表示部１１５の表示が切り替えられる。次に、左側映像２１０２と右側映像２１０３が表示されている状態で第２の切替操作が行われる場合を考える。この場合には、第２の切替操作に応じて、左側映像２１０２から左側映像２１００へ左側映像表示部１１４の表示が切り替えられ、右側映像２１０３から右側映像２１０１へ右側映像表示部１１５の表示が切り替えられる。
【０１１５】
図２２は、本実施形態に係る操作例である。右手操作装置２２００と左手操作装置２２０１のそれぞれは、操作装置１１９である。右手操作装置２２００は視聴者の右手で保持され、左手操作装置２２０１は視聴者の左手で保持される。右手操作装置２２００と左手操作装置２２０１を引き離した状態からそれらを互いに近づける操作が、第１の切替操作である。そして、右手操作装置２２００と左手操作装置２２０１を互いに近づけた状態からそれらを引き離す操作が、第２の切替操作である。これらの操作は、角速度検出部１２１の検出結果、加速度検出部１２２の検出結果、等に基づいて検出できる。なお、これらはあくまで一例であり、第１の切替操作、第２の切替操作、等は特に限定されない。
【０１１６】
以上述べたように、本実施形態によれば、特殊再生で第２の範囲を使用することにより、第１の実施形態と同様の効果が得られる。さらに、本実施形態では、特殊再生中のユーザ操作に応じて、表示範囲が第１の範囲と第２の範囲との間で切り替えられる。これにより、特殊再生中に表示範囲を変更でき、利便性を向上することができる。
【０１１７】
なお、ＣＰＵ１０１が行うものとして説明した上述の各種制御は、１つのハードウェアが行ってもよいし、複数のハードウェアが処理を分担することで、装置全体の制御を行ってもよい。
【０１１８】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１１９】
例えば、ＣＰＵ１０１は、ＶＲ動画の各フレームの第１の範囲が表示範囲として表示装置に表示されるような再生として、通常再生とは異なる再生を行ってもよい。具体的には、ＣＰＵ１０１は、ＶＲ動画の各フレームの第１の範囲が表示範囲として表示装置に表示されるような再生として、スロー再生を行ってもよい。スロー再生の再生速度は比較的遅いため、第１の範囲でスロー再生を行っても、視聴者は、顔の向き（表示装置の姿勢）を変えたり、ユーザ操作を行ったりすることで、ＶＲ動画の映像範囲の大半を容易に確認することができる。
【０１２０】
また、上述の実施形態においては、１つの表示範囲を１画面の２つの表示領域に表示する、あるいは視差を考慮して少しずらした２つの表示範囲を１画面の２つ表示領域にそれぞれ表示する２眼ＶＲ表示を行う例を説明した。しかし、ＶＲ表示は２眼ＶＲ表示に限るものではない。本発明は、１つの表示範囲の画像を１画面に１つ表示する１眼ＶＲ表示にも適用可能である。
【０１２１】
また、ＶＲ画像の一部分を表示するように制御することが可能である電子機器であれば本発明は適用可能である。本発明はヘッドマウントディスプレイ（ＨＭＤ）、パーソナルコンピュータやＰＤＡ、携帯電話端末や携帯型の画像ビューワ、ディスプレイを備えるプリンタ装置、デジタルフォトフレームなどに適用可能である。また、本発明は音楽プレーヤー、ゲーム機、電子ブックリーダー、タブレット端末、スマートフォン、投影装置、ディスプレイを備える家電装置や車載装置などに適用可能である。
【０１２２】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１２３】
１００：映像生成装置  １０１：ＣＰＵ  １０２：映像信号生成システムＩＣ
１０７：操作無線通信部
【図１】
2019012924.tif 000003
【図２】
2019012924.tif 000004
【図３】
2019012924.tif 000005
【図４】
2019012924.tif 000006
【図５】
2019012924.tif 000007
【図６】
2019012924.tif 000008
【図７】
2019012924.tif 000009
【図８】
2019012924.tif 000010
【図９】
2019012924.tif 000011
【図１０】
2019012924.tif 000012
【図１１】
2019012924.tif 000013
【図１２】
2019012924.tif 000014
【図１３】
2019012924.tif 000015
【図１４】
2019012924.tif 000016
【図１５】
2019012924.tif 000017
【図１６】
2019012924.tif 000018
【図１７】
2019012924.tif 000019
【図１８】
2019012924.tif 000020
【図１９】
2019012924.tif 000021
【図２０】
2019012924.tif 000022
【図２１】
2019012924.tif 000023
【図２２】
2019012924.tif 000024
【図２３】
2019012924.tif 000025